(57)【要約】【課題】ユーザーが簡単な操縦で操縦モードを変更させる航空機模型用のリモートコントローラを提供する。【解決手段】本発明は航空機模型用リモートコントローラに関し、さらに、それぞれ第一方向と第二方向で把持し、前記第一方向はリモートコントローラの第一操縦モードに対応し、前記第二方向はリモートコントローラの第二操縦モードに対応し、それに第一方向と第二方向は逆になる本体と、モード選択信号を発送するように構成されたモード選択スイッチと、リモートコントローラの第一ジョイスティックと第二ジョイスティックで操縦する操縦信号を収集して、前記モード選択信号に応じて前記操縦信号を処理し、リモートコントローラを第一操縦モードと第二操縦モードの状態で動作させる信号収集ユニットとからなる航空機模型用リモートコントローラに関する。【選択図】図４Ａ
2010115494.tif 000002
【特許請求の範囲】
【請求項１】
それぞれ２つの操縦チャネルでポテンショメータの回転を操縦し、操縦信号を発送する第一ジョイスティック及び第二ジョイスティックが設けられ、それぞれ第一方向と第二方向で把持することが適合し、その中で前記第一方向はリモートコントローラの第一操縦モードに対応し、前記第二方向はリモートコントローラの第二操縦モードに対応し、前記第一方向と前記第二方向が逆である本体と、
前記第一ジョイスティックと前記第二ジョイスティックが操縦するチャネルに対応し、操縦信号を微調整するように設定された複数の微調整ボタンと、
モード選択信号を発送するように設定されたモード選択スイッチと、
前記第一ジョイスティックと前記第二ジョイスティックで操縦する操縦信号を収集して、前記モード選択信号に応じて前記操縦信号を処理し、前記モード選択信号が前記第一操縦モードを選択する場合は、前記第一操縦モードに応じて前記操縦信号を処理し、前記モード選択信号が前記第二操縦モードを選択した場合は、前記第二操縦モードに応じて前記操縦信号を処理する信号収集ユニットと、
を備えることを特徴とする航空機模型用リモートコントローラ。
【請求項２】
前記第一ジョイスティックは前後方向から航空機模型の動力の大きさを操縦し、前記第二ジョイスティックは前後方向から航空機模型の上昇と降下を操縦することを特徴とする請求項１に記載の航空機模型用リモートコントローラ。
【請求項３】
前記モード選択スイッチは電気スイッチであることを特徴とする請求項１に記載の航空機模型用リモートコントローラ。
【請求項４】
前記モード選択スイッチには前記リモートコントローラの本体の背面に配設された第一スイッチ及び第二スイッチが含まれており、前記リモートコントローラのアンテナは前記本体の背面の軸の周りを回転し、前記アンテナが前記第一方向を指した場合は前記第一スイッチを押し、前記アンテナが前記第二方向を指した場合は前記第二スイッチを押し、前記第一スイッチが押された場合、前記リモートコントローラは第一操縦モードになり、前記第二スイッチが押された場合、前記リモートコントローラは第二操縦モードになることを特徴とする請求項１に記載の航空機模型用リモートコントローラ。
【請求項５】
前記第一操縦モードはＭｏｄｅ１であり、前記第二操縦モードはＭｏｄｅ２であることを特徴とする請求項１に記載の航空機模型用リモートコントローラ。
【請求項６】
前記第一ジョイスティックが操縦される時に第一左右信号及び第一前後信号を生じ、前記第二ジョイスティックが操縦される時に第二左右信号及び第二前後信号を生じ、前記信号収集ユニットが前記第一操縦モードに応じて前記信号を処理する時に、前記第一左右信号は前記リモートコントローラのチャネル１に対応し、前記第一前後信号は前記リモートコントローラのチャネル３に対応し、前記第二左右信号は前記リモートコントローラのチャネル４に対応し、前記第二前後信号は前記リモートコントローラのチャネル２に対応し、前記信号収集ユニットが前記第二操縦モードに応じて前記信号を処理する時に、前記第一左右信号は前記リモートコントローラのチャネル４に対応し、前記第一前後信号は前記リモートコントローラのチャネル３に対応し、前記第二左右信号は前記リモートコントローラのチャネル１に対応し、前記第二前後信号は前記リモートコントローラのチャネル２に対応し、前記操縦信号について反転処理を行うことを特徴とする請求項１に記載の航空機模型用リモートコントローラ。
【請求項７】
前記第一ジョイスティックと前記第二ジョイスティックは４つのポテンショメータに連結され、前記４つのポテンショメータは、前記第一ジョイスティックと前記第二ジョイスティックの操縦によって、前記の第一左右信号、第一前後信号、第二左右信号及び第二前後信号を生成することを特徴とする請求項６に記載の航空機模型用リモートコントローラ。
【請求項８】
前記微調整ボタンは、
前記第一ジョイスティックの内側にあって、前記第一ジョイスティックの第一前後信号に対して中間点の微調整をする一組の微調整ボタンと、
前記第一ジョイスティックの上方、下方にそれぞれ設けられて、前記第一ジョイスティックの第一左右信号に対して中間点の微調整をする二組の微調整ボタンと、
前記第二ジョイスティックの内側にあって、前記第二ジョイスティックの第二前後信号に対して中間点の微調整をする一組の微調整ボタンと、
前記第二ジョイスティックの上方、下方にそれぞれ設けられて、前記第二ジョイスティックの第二左右信号に対して中間点の微調整をする二組の微調整ボタンと、
を具備している請求項１に記載の航空機用リモートコントローラ。
【請求項９】
前記信号収集ユニットは、
前記４つのポテンショメータに連結され、前記４つのポテンショメータが生成する前記の第一左右信号、第一前後信号、第二左右信号及び第二前後信号をデジタル信号に変換するアナログ／デジタル変換回路、及び
前記アナログ／デジタル変換回路と前記モード選択スイッチに連結され、前記モード選択信号が選択した操縦モードによって、前記の第一左右信号、第一前後信号、第二左右信号及び第二前後信号を処理するマイクロプロセッサを具備していることを特徴とする請求項８に記載の航空機模型用リモートコントローラ。
【発明の詳細な説明】
【技術分野】
【０００１】
本発明は航空機の模型の分野に関連し、さらに、航空機の模型のためのリモートコントローラの設計に関連する。
【背景技術】
【０００２】
現在、航空機模型用のリモートコントローラはほとんど同様な機械的な構造とジョイスティックの手配を持っている。図１Ａはそのようなリモートコントローラ１００の構造を示している。一の本体１０の中に、２つのジョイスティック１１ａ、１２ａは左と右にそれぞれ配置され、それぞれのジョイスティックは前、後、左、右の四方向で操縦できる。ただし、歴史的な理由によって、リモートコントローラの操縦モードをアジアのモード（またはＭｏｄｅ１、一般的に“日本手”と呼ばれる）とアメリカのモード（またはＭｏｄｅ２、一般的に“アメリカ手”と呼ばれる）に分類される。
【０００３】
Ｍｏｄｅ１はアジア諸国の航空機模型のアマチュアの中で広く活用される。図２ＡはＭｏｄｅ１の操縦モードを示している。このモード１は、右の第一ジョイスティック１１ａの前後動きを通じて、遠隔操縦の模型の動力の大きさを制御し、一般的にスロットルと呼ばれ、チャネル３と定義される。右の第一ジョイスティックの左右動きは、模型ヘリコプターの横側を制御する（固定翼模型の航空機に対しては、模型のエルロンを制御する）ために使用され、チャネル１と定義される。一方、左の第二ジョイスティック１２ａの前後動きを通じて、模型ヘリコプターの前進または後進を制御し（固定翼の航空機に対しては、エレベーターを制御することによって、航空機の飛び込みまたは飛び上げを実現する）、チャネル２と定義される。左の第二ジョイスティック１２ａの右左動きは、模型ヘリコプターの頭の向き（または固定翼のラダー）を制御するために使用されて、チャンネル４と定義される。
【０００４】
ほとんどのアメリカのユーザーはＭｏｄｅ２を好む。図１Ｂ及び図２ＢはＭｏｄｅ２の操縦モードを示している。モード１と同様に、モード２の右のジョイスティック１１ｂの左右動きも、模型ヘリコプターの横側を制御する（固定翼の航空機に対しては、模型のエルロンを制御する）ために使用され、チャンネル１として定義される。左のジョイスティック１２ｂの左右動きも、模型ヘリコプターの頭の向き（または固定翼のラダー）を制御するために使用され、チャンネル４と定義される。しかし、モード１と違う点は、モード２で、右のジョイスティック１１ｂの前後動きは模型ヘリコプターの前進、後進（またはエレベーター）を制御するために使用され、チャネル２と定義される。一方、左のジョイスティック１２ｂの前後動きは、動力の大きさを制御するために使用され、チャネル３と定義される。すなわち、モード１とモード２の状況で、前後動きの制御オブジェクトを交換し、言い換えれば、チャンネル２の位置とチャンネル３の位置が交換される。
【０００５】
ヨーロッパのユーザーは、モード１とモード２の二種類モードの航空機模型用リモートコントローラを採用する。
【０００６】
ヨーロッパやアメリカだけでなく、アジアのすべてに巨大な市場があるので、両方のモードのリモートコントローラは全部高い市場の需要を持っている。様々な市場のために、メーカーは異なるモードのリモートコントローラを生産する必要がある。しかし、これは大量生産とコスト削減に対して不利な要因となる。一方、欧州ベンダーにとっても不便であり、特に、すべての国には、過半数とはモードの異なるリモートコントローラを使用するいくつかのユーザーがいる。国際的なコミュニケーション場面では、異なる操縦モードが技術的なコミュニケーションを妨げている。そのため、業界は両方の操縦モードを兼備するリモートコントローラを見込んでいる。これを実現するには、リモートコントローラが２つのモードの間で切り替えなければならない。
【０００７】
現在、一部のメーカーは、リモートコントローラの中にモードの切り替え機能を設置している。例えば、小型のスイッチを通じて、モード１またはモード２を選択して、リモートコントローラを動作させることがある。しかし、このようなモードの切り替え機能は電気の位置だけを交換する（すなわち、チャネル２とチャネル３の位置を交換する）。けれども、小さなスイッチだけでリモートコントローラの内部の機械的な構造を変更することは不可能である。それは、スロットルの操縦方法とエレベーターの操縦方法が異なるのが原因である。
【０００８】
標準的なスロットルのジョイスティックは、最下端から動いて、操縦模型動力がゼロから継続的に最上端模型の最大パワーまで推移され、連続に操縦する。ジョイスティックの機構は、多かれ少なかれ減衰を持っていて、ジョイスティックを操縦範囲内の任意の位置で保持することができる。ジョイスティックがスロットルのジョイスティックを離れるにもかかわらず、それはこの位置に停止して、模型の動力をスロットルのジョイスティックで制御されるレベルに維持し、安定した飛行状態を維持する。
【０００９】
しかし、チャネル２のエレベーター用ジョイスティックは、中央部の回帰位置から前方または後方の方向に操縦され、常に回帰弾性力が働いていて、一度手を放すと、エレベーター用ジョイスティックは中間位置に自動的に返される。このような２つの異なる操縦タイプは、ジョイスティックの内部のさまざまな機械的な構造によって達成される。
【００１０】
リモートコントローラの機械的な構造が変更されない場合、単にモードスイッチによって電気信号のポジションを切り替えると、さまざまな機械的な構造を持つ左と右のジョイスティックがやはり元の位置にあるゆえに、切り替えた後のリモートコントローラは標準の要件を満たしていない。実際には、操縦が困難になり、飛行事故が起こりやすい。現在のリモートコントローラが、航空機模型用リモートコントローラの操縦標準を満たす２つの操縦モード間の切り替えを達成するには、電気信号のスイッチングに加えて、リモートコントローラの内部の機械的な構造を変更することが重要である。しかし、機械的な構造を変更するには、リモートコントローラの外郭を開いて、リモートコントローラ内部のジョイスティックの機構を分解してから、リモートコントローラの意図したモードに応じて、対応する交換部品を組み立て直す。これは、非常に高い技術を要求しているし、一般ユーザーには実現することができない。以上のように、現在のリモートコントローラは、だいたい全部モードの切り替え機能を持っているが、実際にユーザーが操縦モードを変更することは非常に難しくて複雑である。
【発明の概要】
【発明が解決しようとする課題】
【００１１】
本発明が解決する技術的な問題は、ユーザーが簡単な操縦で操縦モードを変更させる航空機模型用のリモートコントローラを提供することである。
【課題を解決するための手段】
【００１２】
上記の技術的な問題を解決するために、本発明は次の航空機模型用リモートコントローラを提供する。
該航空機模型用リモートコントローラは、それぞれが２つの操縦のチャネルでポテンショメータの回転を操縦し、操縦信号を発送させる第一及び第二ジョイスティックがその上に設けられ、第一方向と第二方向で把持し、ここで前記第一方向はリモートコントローラの第一操縦モードに対応し、前記第二方向はリモートコントローラの第二操縦モードに対応し、前記第一方向と前記第二方向は逆になる本体と、前記第一ジョイスティックと前記第二ジョイスティックが操縦するチャネルに対応していて、操縦の信号を細かく調整するように構成された複数の微調整ボタンと、モード選択信号を発送するように構成されたモード選択スイッチと、前記第一ジョイスティックと前記第二ジョイスティックで操縦する操縦信号を収集して、前記モード選択信号に応じて前記操縦信号を処理し、前記モード選択信号が前記第一操縦モードを選択した場合は、前記第一操縦モードに応じて前記操縦信号を処理し、前記モード選択信号が前記第二操縦モードを選択した場合は、前記第二操縦モードに応じて前記操縦信号を処理する信号収集ユニットとを具備している。
【００１３】
上記の航空機模型用リモートコントローラで、前記第一ジョイスティックは前後方向で航空機模型の動力の大きさを操縦し、前記第二ジョイスティックは前後方向で航空機模型の上昇と降下を操縦する。
【００１４】
上記の航空機模型用リモートコントローラで、前記モード選択スイッチは電気スイッチである。
【００１５】
上記の航空機模型用リモートコントローラで、前記モード選択スイッチには前記リモートコントローラの本体の背面に配設された第一及び第二スイッチが含まれており、前記リモートコントローラのアンテナは前記本体の背面の軸の周りを回転し、前記アンテナが前記第一方向を指した場合は前記第一スイッチを押し、前記アンテナが前記第二方向を指した場合は前記第二スイッチを押す。また、前記第一スイッチが押された場合、前記リモートコントローラは第一操縦モードになり、前記第二スイッチが押された場合、前記リモートコントローラは第二操縦モードになる。
【００１６】
上記の航空機模型用リモートコントローラで、前記第一操縦モードはＭｏｄｅ１であり、前記第二操縦モードはＭｏｄｅ２である。
【００１７】
上記の航空機模型用リモートコントローラで、前記第一ジョイスティックが操縦される時に第一左右信号及び第一前後信号を生じ、前記第二ジョイスティックが操縦される時に第二左右信号及び第二前後信号を生じ、前記信号収集ユニットが前記第一操縦モードに応じて前記信号を処理する時に、前記第一左右信号は前記リモートコントローラのチャネル１に対応し、前記第一前後信号は前記リモートコントローラのチャネル３に対応し、前記第二左右信号は前記リモートコントローラのチャネル４に対応し、前記第二前後信号は前記リモートコントローラのチャネル２に対応する。前記信号収集ユニットが前記第二操縦モードに応じて前記信号を処理する時に、前記第一左右信号は前記リモートコントローラのチャネル４に対応し、前記第一前後信号は前記リモートコントローラのチャネル３に対応し、前記第二左右信号は前記リモートコントローラのチャネル１に対応し、前記第二前後信号は前記リモートコントローラのチャネル２に対応し、前記操縦信号について反転処理を行う。
【００１８】
上記の航空機模型用リモートコントローラで、前記第一ジョイスティックと前記第二ジョイスティックは４つのポテンショメータに連結される。前記４つのポテンショメータは、前記第一ジョイスティックと前記第二ジョイスティックの操縦によって、前記の第一左右信号、第一前後信号、第二左右信号及び第二前後信号を生成する。
【００１９】
上記の航空機模型用リモートコントローラで、前記微調整ボタンは、前記第一ジョイスティックの内側にあって、前記第一ジョイスティックの第一前後信号に対して中間点の微調整をする一組の微調整ボタンと、前記第一ジョイスティックの上方、下方にそれぞれ設けられて、前記第一ジョイスティックの第一左右信号に対して中間点の微調整をする二組の微調整ボタンと、前記第二ジョイスティックの内側にあって、前記第二ジョイスティックの第二前後信号に対して中間点の微調整をする一組の微調整ボタンと、前記第二ジョイスティックの上方、下方にそれぞれ設けられて、前記第二ジョイスティックの第二左右信号に対して中間点の微調整をする二組の微調整ボタンとを具備している。
【００２０】
上記の航空機模型用リモートコントローラで、前記信号収集ユニットは、前記４つのポテンショメータに連結され、前記４つのポテンショメータが生じる前記の第一左右信号、第一前後信号、第二左右信号及び第二前後信号をデジタル信号に変換するアナログ／デジタル変換回路、及び前記アナログ／デジタル変換回路と前記モード選択スイッチに連結され、前記モード選択信号が選択した操縦モードによって、前記の第一左右信号、第一前後信号、第二左右信号及び第二前後信号を処理するマイクロプロセッサを具備している。
【００２１】
本発明の航空機模型用リモートコントローラは、上記の技術を採用したため、スマートな機械的な構造設計と必要な電気信号変換を組み合わせることによって、リモートコントローラを２つの人気のある操縦モード間で簡単に切り替えることができた。従来のリモートコントローラと比較して、これらの切り替え過程はリモートコントローラの機械的な構造を変更するのを必要していないため、操縦の難しさを軽減することができ、操縦時間を節約し、また飛行過程で簡単な操縦でモード１とモード２の間の変換を達成することができる。特に言及しなければならない点は、本発明は、航空機模型用リモートコントローラを操縦モードに応じてそれぞれ生産することなく、２つタイプのリモートコントローラのデザインと製造の統一を実現することができ、これによって、製造コストを削減し、ベンダーの操縦の複雑さを低減し、異なるモードを使用するリモートコントローラのユーザーの要求をよりよく満たすことができる。
【００２２】
本発明の上記の目的、特徴、及び利点への理解を明らかにするために、以下に、本発明の具体的な実施形態について、図面を参照しつつ詳細に説明する。
【図面の簡単な説明】
【００２３】
【図１Ａ】現在広く使用される航空機模型用リモートコントローラの概観とジョイスティックの配置を示す構造図であり、モード１の一般のリモートコントローラを示す。
【図１Ｂ】モード２の一般のリモートコントローラを示す。
【図２Ａ】モード１の状態にある一般のリモートコントローラの略図である。
【図２Ｂ】モード２の状態にある一般のリモートコントローラの略図である。
【図３Ａ】本発明の実施形態の一例によるリモートコントローラの操縦システムの部分機構の構造図であり、該リモートコントローラはモード１の状態にある。
【図３Ｂ】本発明の実施形態の一例によるモード１のリモートコントローラが１８０°回転した後の操縦システムの部分機械構造図（電気信号の切り替えなし）である。
【図３Ｃ】本発明の実施形態の一例によるモード１のリモートコントローラが１８０°回転し、モード２への電気信号切り替えを終わった後の操縦システムの部分機械構造図である。
【図４Ａ】本発明の別の実施形態の一例によるモード１のリモートコントローラの正面図である。
【図４Ｂ】本発明の別の実施形態の一例によるモード２のリモートコントローラの正面図である。
【図５Ａ】本発明の別の実施形態の一例によるモード１のリモートコントローラの背面図である。
【図５Ｂ】本発明の別の実施形態の一例によるモード２のリモートコントローラの背面図である。
【図６】本発明の実施形態の一例によるリモートコントローラの内部回路図である。
【図７】本発明の別の実施形態の一例によるリモートコントローラの内部回路図である。
【発明を実施するための形態】
【００２４】
現在の航空機模型用リモートコントローラのモード切り替えの難しさに対して、本発明は巧妙な機械構造設計と簡単な操縦を通じて操縦モードの変換機能を達成する。
【００２５】
本発明の基本的な構想は１８０°回転して使用できるリモートコントローラである。機械構造の方面から見ると、アジア式のＭｏｄｅ１のリモートコントローラを１８０°回転した場合、即ちリモートコントローラの上部面のＡ面と下部面のＢ面を切り替えると、該リモートコントローラのジョイスディックの機械構造及び触感はアメリカ式のＭｏｄｅ２の要求を満たす。図３Ａと図３Ｂを比べて見ると、元のＭｏｄｅ１の状態で、減衰性のあるスロットル操縦は右手のジョイスディックで行うが、リモートコントローラが１８０°回転した後には減衰性のあるスロットル操縦が左手のジョイスディックに変えられる。スロットルジョイスティックを図３Ｂの点線の表示方向で下に移動させるだけて、図３Ｃに示すように、Ｍｏｄｅ２の規範に適合し、またＭｏｄｅ１の状態で、左手の回中機能のあるエレベーター操縦も１８０°回転した後右手に切り替えることができる。それで、リモートコントローラを１８０°回転する方法であれば、リモートコントローラの機械構造を変える必要もないし、ただ電気信号の切り替えだけでＭｏｄｅ１とＭｏｄｅ２の切り替えを達成する。これで機械の分解とか部品の組み合わせなどの面倒な作業を避けることが出来る。
【００２６】
以下に、本発明の具体的な実施方法を紹介する。
【００２７】
リモートコントローラ２００には本体２０が含まれていて、図１Ａ、１Ｂに示している伝統的なリモートコントローラの本体１０と違う点は、本発明の本体２０の外形を第一方向（図４ＡでＡ面が上を向かう）と第二方向（図４ＢでＢ面が上を向かう）で把持するように設計し、第一方向と第二方向が逆になっていることである。例を挙げて説明すると、本体２０を第一方向で把持した時、リモートコントローラ２００は第一操縦モード（Ｍｏｄｅ１）で作業し、図４Ａに表示したとおりであり、本体２０を第二方向で把持した時、リモートコントローラ２００は第二操縦モード（Ｍｏｄｅ２）で作業し、図４Ｂに表示したとおりである。本体２０は人間工学の設計を採用することによって、使用する時の快適度を増加できる。好ましくは、本体の握り部分の外観を対称にすることを通じて、ユーザーがいずれの操縦モードを使用しても同じ持ち感覚を得られるようにする。
【００２８】
本体２０の上に、第一ジョイスティック２１と第二ジョイスティック２２が左右にそれぞれ配置される。図３Ａ、図４Ａのモード１の状態で、第一ジョイスティック２１は本体２０の右側に位置し、第二ジョイスティック２２は本体２０の左側に位置する。各ジョイスティックは全部左右と上下で動くことができる。
【００２９】
図３Ａ、図４Ａで示したように、モード１の状態で、第一ジョイスティック２１の左右動きでポテンショメータ０１を回転させて生成した第一左右信号ＶＲ１は、リモートコントローラのチャネル１に対応し、模型ヘリコプターの横側（固定翼の模型航空機に対しては、模型のエルロンを制御する）の制御に使用される。第一ジョイスティック２１の左右動きは回帰機能があり、ユーザーが手を放すと、ジョイスティックは中間位置に自動的に返される。一組の微調整ボタン１７は、第一ジョイスティック２１の下部に置かれ、必要に応じて第一ジョイスティック２１の回帰信号点の左右位置を細かく調整する。第一ジョイスティック２１の前後動きでポテンショメータ０３を回転させて生成した第一前後信号ＶＲ３は、リモートコントローラのチャネル３に対応し、リモート模型の動力の大きさ（即ち、スロットル操縦）の制御に使用される。図３Ａ、図４Ａの第一ジョイスティック２１が下位にある時はゼロパワーの位置であり、操縦過程に第一ジョイスティックが押され、模型は徐々に離陸するのに必要なパワーに至って空を飛ぶ。第一ジョイスティック２１の前後動きは減衰性があり、ユーザーが手を放しても、ジョイスティックはやはりこの位置に停止しているため、模型の動力をスロットルのジョイスティックで制御されるレベルに維持して、安定した飛行状態を維持する。模型が飛んでいる過程で、第一ジョイスティックを前を向かって押すことによって模型動力が増加し、第一ジョイスティックを後を向かって引くことによって模型動力が減少する。一組の微調整ボタン１５は、第一ジョイスティック２１の内側に置かれ、必要に応じて第一ジョイスティック２１のゼロパワー信号点の前後位置を細かく調整する。
【００３０】
図３Ａ、図４Ａで示したように、モード１の状態で、第二ジョイスティック２２の左右動きでポテンショメータ０４を回転させて生成した第二左右信号ＶＲ４は、リモートコントローラのチャネル４に対応し、模型ヘリコプターの頭の向き（または固定翼のラダー）の操縦に使用される。一組の微調整ボタン１６は、第二ジョイスティック２２の下部に置かれ、必要に応じて第二ジョイスティック２２の回帰信号点の左右位置を細かく調整する。第二ジョイスティック２２の前後動きでポテンショメータ０２を回転させて生成した第二前後信号ＶＲ２は、リモートコントローラのチャネル２に対応し、模型ヘリコプターの前進または後進（固定翼の模型航空機に対しては、そのエレベーターを制御することによって、航空機の飛び込みまたは飛び上げを実現する）の制御に使用される。一組の微調整ボタン１４は、第二ジョイスティック２２の内側に置かれ、必要に応じて第二ジョイスティック２２の前後回帰信号点の前後位置を細かく調整する。第二ジョイスティック２２の前後、左右動きは全部回帰機能があり、ユーザーが手を放すと、ジョイスティックは中間位置に自動的に返される。
【００３１】
図３Ｃ、図４Ｂで示すように、モード２の状態で、第一ジョイスティック２１は本体２０の左側に配置され、第二ジョイスティック２２は本体２０の右側に配置される。
【００３２】
モード２の状態で、第一ジョイスティック２１の左右動きでポテンショメータ０１を回転させて生成した第一左右信号ＶＲ１は、リモートコントローラのチャネル４に対応し、ヘリコプターの頭の向き（または固定翼模型飛行機のラダー）の操縦に使用される。第一ジョイスティック２１の左右動きは回帰機能があり、ユーザーが手を放すと、ジョイスティックは中間位置に自動的に返される。一組の微調整ボタン２７は、第一ジョイスティック２１の下部に置かれ、必要に応じて第一ジョイスティック２１の回帰信号点の左右位置を細かく調整する。第一ジョイスティック２１の前後動きでポテンショメータ０３を回転させて生成した第一前後信号ＶＲ３は、リモートコントローラのチャネル３に対応し、リモート模型の動力の大きさ（即ち、スロットル操縦）の制御に使用される。第一ジョイスティック２１の前後動きは減衰性があり、ユーザーが手を放しても、ジョイスティックはやはりこの位置に停止している。一組の微調整ボタン１５は、第一ジョイスティック２１の内側に置かれ、必要に応じて第一ジョイスティック２１のゼロパワー信号点の前後位置を細かく調整する。
【００３３】
モード２の状態で、第二ジョイスティック２２の左右動きでポテンショメータ０４を回転させて生成した第二左右信号ＶＲ４は、リモートコントローラのチャネル１に対応し、模型ヘリコプターの横側（固定翼の模型航空機に対しては、模型のエルロンを制御する）の制御に使用される。一組の微調整ボタン２６は、第二ジョイスティック２２の下部に置かれ、必要に応じて第二ジョイスティック２２の回帰信号点の左右位置を細かく調整する。第二ジョイスティック２２の前後動きでポテンショメータ０２を回転させて生成した第二前後信号ＶＲ２は、リモートコントローラのチャネル２に対応し、模型ヘリコプターの前進または後進（固定翼の模型航空機に対しては、そのエレベーターを制御することによって、模型航空機の飛び込みまたは飛び上げを実現する）の制御に使用される。一組の微調整ボタン１４は、第二ジョイスティック２２の内側に置かれ、必要に応じて第二ジョイスティック２２の前後回帰信号点の前後位置を細かく調整する。第二ジョイスティック２２の前後、左右動きは全部回帰機能があり、ユーザーが手を放すと、ジョイスティックは中間位置に自動的に返される。
【００３４】
図３Ｂと図３Ｃを比べて見ると、リモートコントローラの本体２０が１８０°回転した後、ジョイスティックの信号とリモートコントローラの各チャネル間の関係が大きく変化し、それに操縦方向も完全に変化した。例えば、モード１の状態で、回転した後リモートコントローラの右側に置かれた第一ジョイスティック２１（図３Ｂ参照）の前後動きはスロットル制御であり、第一ジョイスティックを前を向かって（図３Ｂで上向き）押すことによってスロットルを減少させ、後を向かって（図３Ｂで上向き）引くことによってスロットルを増加させる。モード２の状態で、第一ジョイスティックの前後動きもスロットル制御であるが、前を向かうことがスロットルを減少させ、後を向かうことがスロットルを増加させる。２つのモードで、同じ操縦の方向に生成された信号の方向は完全に逆になり、他の各チャネルも同じである。また、対応する微調整ボタンの方向も反対になる。いずれにしても、モード１のリモートコントローラが１８０°回転した後は、その四つチャネルの二つのジョイスティックの各操縦方向に対応する操縦信号の８方向と微調整方向の両方が全部正しい信号方向と反対になる。表１は、モード１とモード２の二つの操縦モードで、二つのジョイスティックに対応する操縦チャネル及び各ポテンショメータの位置を示している。
【００３５】
【表１】
2010115494.tif 000003
【００３６】
モード１を参照モードとした場合、モードをモード２に切り替える時、ジョイスティックの信号と各チャネル間の対応関係を表１に応じて再び調整する必要がある。以下、一例を挙げて説明する。
【００３７】
図６は本発明の実施形態の一例によるリモートコントローラの内部回路図である。該回路３０は、四つのポテンショメータ０１、０２、０３、０４と、アナログ／デジタル変換回路３２とマイクロプロセッサ３３からなる信号収集ユニットと、及び高周波送信回路３４とを含めている。四つのポテンショメータ０１、０２、０３、０４は、それぞれ第一ジョイスティック２１及び第二ジョイスティック２２の４方向の動きに対応する。各ジョイスティックの１つのチャネル内の操縦は一つのポテンショメータに連動し、ジョイスティックの位置変化に従って、ポテンショメータの信号電圧も変化して、操縦信号を生成する。
【００３８】
例えば、モード１の状態で、ポテンショメータ０１は第一ジョイスティック２１の左右動きによって第一左右信号ＶＲ１を生成し、ポテンショメータ０３は第一ジョイスティック２１の前後動きによって第一前後信号ＶＲ３を生成し、ポテンショメータ０４は第二ジョイスティック２２の左右動きによって第二左右信号ＶＲ４を生成し、ポテンショメータ０２は第二ジョイスティック２２の前後動きによって第二前後信号ＶＲ２を生成する。
【００３９】
これらの信号ＶＲ１−ＶＲ４は、アナログ／デジタル変換回路３２によって、信号電圧をマイクロプロセッサ３３によって処理されるデジタル信号ＶＲ１’−  ＶＲ４’に変換して、マイクロプロセッサ３３に入力する。
【００４０】
なお、本体２０に一つの電気スイッチを配置し、モード選択スイッチ２３（図６参照）としてモード選択信号ＳＥＬを送信するように設定される。モード選択信号ＳＥＬは、現在操縦モードとしてモード１またはモード２を選択することができる。マイクロプロセッサは、モード選択信号ＳＥＬによって、リモートコントローラがどちらのモードになるのかを判断した後、前記デジタル信号ＶＲ１’−ＶＲ４’に対して相応の処理を行う。モード選択信号ＳＥＬがモード１を選択した時、マイクロプロセッサ３３は前記モード１に応じてデジタル信号を処理し、即ち、ＶＲ１’はチャネル１の信号と見なされ、ＶＲ３’はチャネル３の信号と見なされ、ＶＲ４’はチャネル４の信号と見なされ、ＶＲ２’はチャネル２の信号と見なされる。
【００４１】
モード選択信号ＳＥＬがモード２を選択した時、マイクロプロセッサ３３はモード２に応じてデジタル信号を処理する。即ち、ＶＲ１’はチャネル４の信号と見なされ、ＶＲ３’はチャネル３の信号と見なされ、ＶＲ４’はチャネル１の信号と見なされ、ＶＲ２’はチャネル２の信号と見なされる。注意すべき点は、リモートコントローラが回転した後、各ジョイスティックのポテンショメータへの操縦によって生成する操縦信号と微調整方向も反転されたので（表２参照）、各操縦方向を代表する操縦信号について反転処理を行うべきである。例えば、各ポテンショメータ０１−０４が生成する各アナログ信号ＶＲ１−ＶＲ４が、いくつかのビットで組み合わせたデジタル信号ＶＲ１’−  ＶＲ４’に変換される時、各デジタル信号ＶＲ１’−  ＶＲ４’は補数コードを取ることだけで反転処理を達成することができる。上記の説明をした後、上記のプロセスは容易にマイクロプロセッサ３３によって実現できる。
【００４２】
その後、各チャネルのデジタル信号は、マイクロプロセッサ３３によってエンコードされ、予め規定した形式でエンコードした一連のデータになる。これらのデータは高い周波数信号を変調するのに使用され、高い周波数送信回路３４からアンテナ３５を介して送信され、航空機模型を制御する。
【００４３】
一つの実施例で、リモートコントローラの本体２０の上にディスプレイ３６も配置することがあり、リモートコントローラがモード１からモード２に切り替える時、プロセッサ３３はディスプレイの表示方向を調整しなければならない。
【００４４】
指摘する必要があることは、リモートコントローラの本体２０が両方の方向で把持するのに適応しているので、操縦エラーが原因で事故を起こるのを避けるために、ユーザーが使用する時に、まず把持方向と操縦モードを選択すべきである。異なる識別子によって各把持方向に対応する操縦モードを表示することがあり、またパイロットランプによって現在設定した操縦モードを表示する。また、把持方向と操縦モードの間に関係を確立することによって、上記の目的を確実に達成することができる。例えば、モード選択スイッチによって一つの操縦モードを選択する時、パイロットランプまたはディスプレイによって、選択すべき把持方向を提示する。
【００４５】
実例として、以下に把持方向を確実に示す一つの実施例をまた挙げる。
【００４６】
図５Ａと図５Ｂは本発明の別の実施形態によるリモートコントローラの背面図である。この実施形態のリモートコントローラ２００ａのアンテナ３５ａは本体２０ａのバックに配置され、シャフト２５の周りを１８０°回転することができる。リモートコントローラを使用する時、アンテナ３５ａをＡ面またはＢ面の上方を向かうようにし、一つのスイッチはアンテナ３５ａに押され、他のスイッチは解放される状態になる。表２はスイッチの状態と操縦モード及びチャネルの対応関係を示す。図７に示すように、マイクロプロセッサ３３は２つのスイッチＳ１、Ｓ２の押された状態または解放状態によって、どの操縦モードで動作するかを判断した後、データに対して相応の処理を行う。
【００４７】
【表２】
2010115494.tif 000004
【００４８】
この実施形態の利点は、外観が直感的で明らかにしていることである。アンテナが前方（または上方）を向かう限り、正しい操縦モードになる。小さなスイッチでモードを切り替えるデザインでは、比較的苦しい観察をしなければどのモードになるのか見出すことができない。
【００４９】
無意識のうちに操縦モードを変更させることを防ぐために、この実施形態にアンテナロック装置を追加することがあり、図５Ａ、５Ｂに示すように、アンテナ固定用加圧板１９でアンテナをロックする。必ず、通常の小型のドライバーでボルトを緩めることによって、アンテナの方向を変換させる。
【００５０】
もちろん、他の機械部品、例えば開閉可能なさまざまな特定のカバーなどを用いてモード切り替えスイッチを保護することができる。たとえば、モード１とモード２に使用されるリモートコントローラハンドルを設計して、それぞれをリモートコントローラのＡ面またはＢ面に固定し、リモートコントローラのＡ面またはＢ面とハンドルとの固定部分にモード切り替えスイッチを配置する。従って、本発明の航空機模型用リモートコントローラは、スマートな機械的な構造設計の上に必要な電気信号の変換を加えて、２つの人気のある操縦モード間でのリモートコントローラのシンプルな切り替えを実現した。
これらの切り替えプロセスは、リモートコントローラの機械的な構造を変更する必要がなくて、操縦の複雑さを軽減する同時に操縦時間も節約できる。特に言及しなければならない点は、本発明は、航空機模型用リモートコントローラを操縦モードによってそれぞれ生産することなく、２種類のリモートコントローラのデザインや生産を一体にして、生産コストを削減させる。
本発明に記載された航空機模型は、アマチュアのために設計した模型だけでなく、ますます普及している航空機模型玩具も含めている。
【００５１】
本発明は上記の好ましい実施形態によって明らかにされているが、このような実施形態で本発明を制限するものではない。どんな当業者も、本発明の精神と範囲から逸脱しない範囲で、いくつかの変更と改良を行うことができる。本発明の保護範囲はクレームで限定される内容を基準にする。
【符号の説明】
【００５２】
１  第一チャネル
２  第二チャネル
３  第三チャネル
４  第四チャネル
０１  第一チャネルでジョイスティックが操縦するポテンショメータ
０２  第二チャネルでジョイスティックが操縦するポテンショメータ
０３  第三チャネルでジョイスティックが操縦するポテンショメータ
０４  第四チャネルでジョイスティックが操縦するポテンショメータ
５  電源スイッチ
１００  従来のリモートコントローラ
１０  従来のリモートコントローラの本体
１１ａ、１２ａ  モード１にあるジョイスティック
１１ｂ、１２ｂ  モード２にあるジョイスティック
１４−１７、２６、２７  微調整ボタン
１９  アンテナ固定用加圧板
２００、２００ａ  リモートコントローラ
２０、２０ａ  リモートコントローラ本体
２１  第１ジョイスティック
２２  第２ジョイスティック
２３、２３ａ  モード選択スイッチ
２５  アンテナシャフト
１９  アンテナ固定用加圧板
３２  アナログ／デジタルコンバーター
３３  マイクロプロセッサ
３４  高周波送信回路
３５、３５ａ  アンテナ
３６  ディスプレイ
【図１Ａ】
2010115494.tif 000005
【図１Ｂ】
2010115494.tif 000006
【図２Ａ】
2010115494.tif 000007
【図２Ｂ】
2010115494.tif 000008
【図３Ａ】
2010115494.tif 000009
【図３Ｂ】
2010115494.tif 000010
【図３Ｃ】
2010115494.tif 000011
【図４Ａ】
2010115494.tif 000012
【図４Ｂ】
2010115494.tif 000013
【図５Ａ】
2010115494.tif 000014
【図５Ｂ】
2010115494.tif 000015
【図６】
2010115494.tif 000016
【図７】
2010115494.tif 000017